(57)【要約】【課題】見栄えが良く、オフィス内やレストラン内や家庭等にも設置可能な手指消毒装置を提供する。【解決手段】噴射ノズル６を有する昇降ヘッド９を、常時上方へ弾発付勢する復元スプリング７を内蔵した手指消毒液噴霧器８を有する消毒容器５を具備し、上部に消毒容器５を設置する載置面部３を有し、消毒容器５の噴霧器８を押下げる昇降自在の押下部材１０と、下方位置の足踏みペダル１１とを連動させる連動部材４を内有した高さ寸法Ｈが５００ｍｍ〜９００ｍｍの基台２を備えている。【選択図】図４
0003157074.tif 000002
【実用新案登録請求の範囲】
【請求項１】
噴射ノズル（６）を有する昇降ヘッド（９）を、常時上方へ弾発付勢する復元スプリング（７）を内蔵した手指消毒液噴霧器（８）を有する消毒容器（５）を具備し、
上部に該消毒容器（５）を設置する載置面部（３）を有し、該消毒容器（５）の噴霧器（８）を押下げる昇降自在の押下部材（１０）と、下方位置の足踏みペダル（１１）とを連動させる連動部材（４）を内有した高さ寸法（Ｈ）が５００ｍｍ〜９００ｍｍの基台（２）を備えたことを特徴とする手指消毒装置。
【請求項２】
上記連動部材（４）は、上記押下部材（１０）の可動域の上限高さ寸法（Ｈ０）を調整自在とした請求項１記載の手指消毒装置。
【請求項３】
上記消毒容器（５）の噴霧器（８）に常時負荷される上記押下部材（１０）及び上記連動部材（４）の重量（Ｇ）を、上記復元スプリング（７）の弾発付勢力（Ｆ）よりも小さく設定した請求項１又は２記載の手指消毒装置。
【請求項４】
上記消毒容器（５）の噴霧器（８）に常時負荷される上記押下部材（１０）及び上記連動部材（４）の重量（Ｇ）から、該重量（Ｇ）を軽減させる上方弾発付勢部材（１３）の引上力（Ｔ）を差し引いた下方負荷力（Ｇ´）を、上記復元スプリング（７）の弾発付勢力（Ｆ）よりも小さく設定した請求項１又は２記載の手指消毒装置。
【請求項５】
上記押下部材（１０）は、手前水平方向へ突出状の前鍔部（１０ａ）を有し、該前鍔部（１０ａ）の最前端縁に上記噴射ノズル（６）の回動を防止する切欠部（１２）を有する請求項１，２，３又は４記載の手指消毒装置。
【考案の詳細な説明】
【技術分野】
【０００１】
本考案は、足踏式の手指消毒装置に関する。
【背景技術】
【０００２】
最近、新型インフルエンザ等の流行性感冒に集団で感染するケースが多く発生している。従来、感染拡大を予防する目的で、外出先からの帰宅後や病院・公共施設等への入館、不特定多数の人が多く集まる施設へ入館する際、人と一緒に室内に病原体（ウィルス等）が侵入するのを防止するため、施設の入口に消毒液等で手及び指を消毒・除菌する足踏み式の手指消毒器が設置されている（特許文献１参照）。
【先行技術文献】
【特許文献】
【０００３】
【特許文献１】登録実用新案第３０８３９９９号公報
【考案の概要】
【考案が解決しようとする課題】
【０００４】
足踏み式の手指消毒器は、噴霧器を内蔵した筐体と、床面に設置した足踏みペダルとを、連結棒等で接続し、足踏みペダルと噴霧器のレバーとを連動させ、手で消毒器に触れることなく消毒液の噴射を足踏みペダルで操作できるように構成している。しかし、従来の手指消毒器は、連結棒等の連動部材が剥き出しで外部から見える構造となっており、見栄えが悪く、手指消毒器を設置する場所の景観を損なうという欠点があった。
【０００５】
そこで、本考案は、見栄えの良い手指消毒装置を提供することを目的とする。
【課題を解決するための手段】
【０００６】
本考案に係る手指消毒装置は、噴射ノズルを有する昇降ヘッドを、常時上方へ弾発付勢する復元スプリングを内蔵した手指消毒液噴霧器を有する消毒容器を具備し、上部に該消毒容器を設置する載置面部を有し、該消毒容器の噴霧器を押下げる昇降自在の押下部材と、下方位置の足踏みペダルとを連動させる連動部材を内有した高さ寸法が５００ｍｍ〜９００ｍｍの基台を備えたものである。
【０００７】
また、上記連動部材は、上記押下部材の可動域の上限高さ寸法を調整自在としたものである。
また、上記消毒容器の噴霧器に常時負荷される上記押下部材及び上記連動部材の重量を、上記復元スプリングの弾発付勢力よりも小さく設定したものである。
【０００８】
また、上記消毒容器の噴霧器に常時負荷される上記押下部材及び上記連動部材の重量から、該重量を軽減させる上方弾発付勢部材の引上力を差し引いた下方負荷力を、上記復元スプリングの弾発付勢力よりも小さく設定したものである。
また、上記押下部材は、手前水平方向へ突出状の前鍔部を有し、該前鍔部の最前端縁に上記噴射ノズルの回動を防止する切欠部を有するものである。
【考案の効果】
【０００９】
本考案の手指消毒装置によれば、連動部材を包囲状として基台内に収納することができ、整った容姿に創作でき、外観上の見栄えを良くできる。従って、上述の病院や公共施設は勿論のこと、オフィスビル内、レストラン内、各家庭内に設置しても違和感なく使用可能である。
【図面の簡単な説明】
【００１０】
【図１】本考案の手指消毒装置の実施の一形態を示した正面図である。
【図２】手指消毒装置を示した側面図である。
【図３】手指消毒装置を示した背面図である。
【図４】手指消毒装置の使用状態を示した断面側面図である。
【図５】図４の要部拡大図である。
【図６】押下部材の切欠部を示した要部拡大図である。
【図７】本考案の他の実施形態を示した拡大断面図である。
【考案を実施するための形態】
【００１１】
以下、実施の形態を示す図面に基づき本考案を詳説する。
図１〜図５に示すように、１は、本考案に係る手指消毒装置であり、病院、公共施設、オフィスビル、レストラン等の入口や、一般家庭の玄関等に設置されるものである。
手指消毒装置１は、手指消毒液Ａを霧状として吐出する噴射ノズル６を前方突出状に有する昇降ヘッド９を、常時上方へ弾発付勢する復元スプリング７を内蔵した噴霧器８を有する消毒容器５を具備し、高さ寸法Ｈが５００ｍｍ〜９００ｍｍの基台２の上に消毒容器５を載置している。基台２は、上部に消毒容器５を設置するための載置面部３を有し、消毒容器５の噴霧器８を押下げる昇降自在の押下部材１０と、下方位置に配設した足踏みペダル１１とを連動させる連動部材４を内有している。
【００１２】
基台２は、縦長の四角錐の上部を水平に切り落としたような形状（四角錐台型）を有し、側面が相互に接合する角部は丸みを帯びている。基台２は、床面Ｂに滑り止め２Ａ，２Ａを当接して立設され、屋外から入って来た人Ｍの目につき易く、かつ、人Ｍが両手を差し出し易い高さ寸法Ｈをもって消毒容器５を揚上設置している。基台２は、内部に中空部１９を有している。基台２の前面２０の下方位置には、足踏みペダル１１を取着するための開口部２１を形成し、背面２２には、上下方向に広口溝を開設し、この広口溝を背板２３で閉塞している。背板２３には、上下方向に細長のスリット２３ａが貫設されている。
載置面部３は、基台２の上面を塞ぐ浅皿体の底面であって、消毒容器５を固定するための支柱１５を垂設している。支柱１５は、取付ベルト１４を有する固定板１６を備え、消毒容器５を抱き込み状に固定している。支柱１５は、筒状に形成され、載置面部３を上下方向に貫通する貫通孔１８を有している。
【００１３】
連動部材４は、押下部材１０が昇降する可動域の上限高さ寸法Ｈ０を調整自在として構成されている。
具体的には、連動部材４は、鉛直方向に昇降自在の長角筒状中継パイプ３０を有し、かつ、押下部材１０は、消毒容器５の噴霧器８を操作するための手前水平方向へ突出する前鍔部１０ａと、貫通孔１８を挿通する鉛直方向の長棒部１０ｂとから成る。中継パイプ３０は、その上部に、長棒部１０ｂを引出し摺動自在に挿入し固定している。中継パイプ３０には、上端寄りに雌ネジ孔３２が貫設され、基台２の背面２２側からスリット２３ａを挿通して雌ネジ孔３２に螺着可能なボルトから成る調整部材１７を取付けて、長棒部１０ｂの固定位置を無段階調整可能としている。
また、連動部材４は、中継揺動アーム３１を備えている。中継揺動アーム３１は、基台２内の底壁面２４に配設した第１固定支持部材２５に中間部を揺動自在に支持され、シーソーのように揺動自在に枢着されている。中継揺動アーム３１は、一端を、中継パイプ３０の下部に枢結し、他端を足踏みペダル１１の後端部１１ｂに枢結している。連動部材４は、基台２内の中空部１９に収納され、中継パイプ３０と中継揺動アーム３１とを、外部からは見えないように包囲されている。
【００１４】
足踏みペダル１１は、後端部１１ｂ寄りの中間の支点１１ｃで、底壁面２４に配設した第２固定支持部材２６により揺動自在に枢着され、開口部２１から前端部１１ａを基台２の前面２０から突出している。足踏みペダル１１は、前端部１１ａを押し下げると、支点１１ｃを軸に揺動し、後端部１１ｂが持ち上げられる。中継揺動アーム３１は、足踏みペダル１１の後端部１１ｂの上昇に伴って揺動し、その一端に連結する中継パイプ３０を降下させるように構成されている。
つまり、連動部材４は、噴霧器８を押下げる押下部材１０と、下方位置に配設した足踏みペダル１１とを、連動させている。
なお、中継パイプ３０の下部と中継揺動アーム３１との枢結部、及び、中継揺動アーム３１と足踏みペダル１１の後端部１１ｂとの枢結部は、細長孔と枢着軸とで遊嵌状に枢着されている。この構成により、中継パイプ３０の昇降動作と中継揺動アーム３１と足踏みペダル１１の揺動はスムーズに連動する。
【００１５】
図５に示すように、消毒容器５は、噴霧器８上部の昇降ヘッド９を下方に押し込むことで、内部に収容した手指消毒液Ａを噴射ノズル６から噴霧するように構成され、一旦、押し込まれて降下した昇降ヘッド９を復元スプリング７の弾発付勢力Ｆをもって押し返し、再び昇降ヘッド９が上昇して、繰り返し手指消毒液Ａを吐出するように構成されている。中継パイプ３０の降下に伴って上限高さ寸法Ｈ０から降下する押下部材１０に押圧される昇降ヘッド９は、押下部材１０の可動域の下限高さ寸法Ｈ１まで、ストロークＳの高低差をもって降下する。
また、消毒容器５の噴霧器８に常時負荷される押下部材１０及び連動部材４の重量Ｇは、復元スプリング７の弾発付勢力Ｆよりも小さく設定されている。連動部材４の中継パイプ３０に引き下げられて降下した押下部材１０は、復元スプリング７の弾発付勢力Ｆにより持ち上げられて上昇可能である。
【００１６】
図６に示すように、押下部材１０は、前鍔部１０ａを倒立浅皿型（浅皿体を上下反転した型）に形成し、前鍔部１０ａの最前端縁には、昇降ヘッド９から伸びる噴射ノズル６に係止して、回動を防止する切欠部１２を有している。
【００１７】
上述した本考案の手指消毒装置の使用方法（作用）について説明する。
図１〜図３に示すように、手指消毒装置１の背面に取付けられた調整部材１７を緩め、引出し自在の押下部材１０を上昇させ、消毒容器５を基台２上の載置面部３に設置して取付ベルト１４で固定する。所望の噴射量が得られるように噴霧器８を押圧して、押下部材１０を昇降ヘッド９に当接させたまま保持し、調整部材１７を締めて押下部材１０を位置決め固定する。噴霧器８の押圧を解除すると、復元スプリング７により弾発付勢される昇降ヘッド９が、押下部材１０を上昇させ、押下部材１０が可動域の上限高さ寸法Ｈ０に達して停止する。押下部材１０の上昇に伴って、足踏みペダル１１の前端部１１ａは、跳ね上がった状態で保持される。これで、消毒容器５の設置は、完了する。
この際、図６に示すように、消毒容器５の噴射ノズル６を前方に向け、押下部材１０の切欠部１２に係合して、噴射ノズル６が旋回するのを防止する。
【００１８】
次に、図４及び図５に示すように、人Ｍが、両手を噴射ノズル６の前に差し出しつつ跳ね上がった足踏みペダル１１を踏み込むと、連動部材４を介して押下部材１０に下方向きの力が加わり、噴霧器８の昇降ヘッド９が押し下げられる。昇降ヘッド９は、降下しつつ噴射ノズル６から手指消毒液Ａを噴射（噴霧）し、人Ｍの手指を消毒する。人Ｍの手指に当たらなかった手指消毒液Ａは、載置面部３を含有する浅皿体が受けて、周囲に飛び散ることがない。
押下部材１０の上限高さ寸法Ｈ０が調整されることで、ストロークＳの長さ寸法が変化し、一度の足踏みペダル１１の踏み込みで消毒容器５から噴射する手指消毒液Ａの容量が変更される。
【００１９】
人Ｍが、足踏みペダル１１から足を離すと、押下部材１０は、再び上昇する。押下部材１０は、押下部材１０及び連動部材４の重量Ｇを、噴霧器８に常時負荷しつつ、復元スプリング７により弾発付勢される昇降ヘッド９の弾発付勢力Ｆをもって持ち上げられるため、昇降ヘッド９と押下部材１０とが離反することなく常に当接して上昇し、噴射ノズル６が切欠部１２との係合状態を離脱することがない。
【００２０】
手指消毒装置１は、手指消毒液Ａを収納した消毒容器５を設置しておけば、足踏みペダル１１を踏んで繰り返し使用でき、基台２の外側面に、新型インフルエンザ等の感染症への注意を喚起する文章を表示したり、又は、使用方法の説明、美観的デザインを施す等の装飾加工して設置される。さらに、足踏みペダル１１で手指消毒液Ａの噴霧を操作するので、手指にて消毒容器５の昇降ヘッド９に接することがなく、衛生上好ましい。
【００２１】
次に、本考案の他の実施形態について説明する。
上述の実施形態と相違する点は、図７に示すように、消毒容器５の噴霧器８に常時負荷される押下部材１０及び連動部材４の重量Ｇを軽減させるコイルばねから成る上方弾発付勢部材１３を有している点である。この場合、重量Ｇから、上方弾発付勢部材１３の引上力Ｔを差し引いた下方負荷力Ｇ´を、復元スプリング７の弾発付勢力Ｆよりも小さく設定している。
上方弾発付勢部材１３は、一端を中継パイプ３０の上端に設けられた突起部３３に取り付けられ、他端を基台２の中空部１９の天井側に固着された取付片２８に支持されている。押下部材１０は、下方負荷力Ｇ´を、噴霧器８に常時負荷しつつ、復元スプリング７により弾発付勢される昇降ヘッド９の弾発付勢力Ｆをもって持ち上げられるため、昇降ヘッド９と押下部材１０とが離反することなく上昇し、噴射ノズル６が切欠部１２との係合状態を脱することがない。
なお、上記弾発付勢部材１３の取付箇所としては、図７以外にも設計変更自由であって、例えば、図４の中継揺動アーム３１と支持部材２５の一部（又は底壁面２４）との間に、介装しても良い（図示省略）。
【００２２】
以上のように、本考案は、噴射ノズル６を有する昇降ヘッド９を、常時上方へ弾発付勢する復元スプリング７を内蔵した手指消毒液噴霧器８を有する消毒容器５を具備し、上部に消毒容器５を設置する載置面部３を有し、消毒容器５の噴霧器８を押下げる昇降自在の押下部材１０と、下方位置の足踏みペダル１１とを連動させる連動部材４を内有した高さ寸法Ｈが５００ｍｍ〜９００ｍｍの基台２を備えるので、連動部材４を包囲状として基台２内に収納することができ、整った容姿に創作でき、景観を損なうことなく外観上の見栄えが良くなる。また、電源等に接続することなく、繰り返し手指消毒液Ａを噴霧でき、設置場所を選ばない。さらに、基台２の外側面を装飾して色等を変更でき、デザイン性に優れる。
【００２３】
また、連動部材４は、押下部材１０の可動域の上限高さ寸法Ｈ０を調整自在としたので、単に背面２２の調整部材１７を操作するのみで、種々の消毒容器５に対応できる。また、手指消毒液Ａの噴射容量を自由に変えることができる。
【００２４】
また、消毒容器５の噴霧器８に常時負荷される押下部材１０及び連動部材４の重量Ｇを、復元スプリング７の弾発付勢力Ｆよりも小さく設定したので、弾発付勢力Ｆをもって押下部材１０を持ち上げられる。よって、昇降ヘッド９と押下部材１０とが離反することなく当接しながら上昇し、噴射ノズル６が切欠部１２との係合状態を脱することがない。
【００２５】
また、消毒容器５の噴霧器８に常時負荷される押下部材１０及び連動部材４の重量Ｇから、重量Ｇを軽減させる上方弾発付勢部材１３の引上力Ｔを差し引いた下方負荷力Ｇ´を、復元スプリング７の弾発付勢力Ｆよりも小さく設定したので、弾発付勢力Ｆの小さな復元スプリング７を有する噴霧器８であっても、押下部材１０を持ち上げられる。噴霧器８の耐久性を向上し、長期間の使用が可能となる。
【００２６】
また、押下部材１０は、手前水平方向へ突出状の前鍔部１０ａを有し、前鍔部１０ａの最前端縁に噴射ノズル６の回動を防止する切欠部１２を有するので、噴射ノズル６の方向を保持しつつ手指消毒液Ａを繰り返し噴射できる。
【符号の説明】
【００２７】
２  基台
３  載置面部
４  連動部材
５  消毒容器
６  噴射ノズル
７  復元スプリング
８  噴霧器
９  昇降ヘッド
１０  押下部材
１０ａ  前鍔部
１１  足踏みペダル
１２  切欠部
１３  上方弾発付勢部材
Ｈ  高さ寸法
Ｈ０  上限高さ寸法
Ｇ  重量
Ｆ  弾発付勢力
Ｔ  引上力
Ｇ´  下方負荷力
【図１】
0003157074.tif 000003
【図２】
0003157074.tif 000004
【図３】
0003157074.tif 000005
【図４】
0003157074.tif 000006
【図５】
0003157074.tif 000007
【図６】
0003157074.tif 000008
【図７】
0003157074.tif 000009